(57)【特許請求の範囲】
【請求項１】
長尺の光源ユニットと、前記光源ユニットを支持する器具本体と、を備え、
前記光源ユニットは、取付具を有しており、
前記器具本体は、長尺の取付基台と、前記取付具を固定する固定部と、を有しており、
前記取付具は、前記光源ユニットの短手方向に突出する突起部が設けられており、
前記固定部は、前記取付基台の短手方向の両側から前記取付基台の厚み方向に突出する側立部を有し、
前記側立部は、開口部と、上記開口部と繋がっている溝部と、を有しており、
前記開口部は、前記突起部が挿通可能な大きさに形成され、前記溝部は、前記器具本体の長手方向に沿った前記突起部の移動を案内可能に形成されており、
前記側立部は、前記溝部に挿通されている前記突起部を保持し、
前記固定部は、前記器具本体の長手方向に沿った前記光源ユニットの移動を規制する規制部を有しており、
前記取付具は、前記規制部に引っ掛かる第１位置と前記規制部に引っ掛からない第２位置との間で弾性変形可能な弾性部を有しており、
前記規制部は、前記器具本体から前記光源ユニットを取り外す場合、前記弾性部の変形により前記弾性部との引っ掛かりが解除され、
前記弾性部は、前記規制部に引っ掛かる抑止片と、前記規制部に向かって前記抑止片に弾性力を付与する板状のばね片と、を有し、
前記規制部は、前記光源ユニットの移動方向に直交する規制面を有し、
前記抑止片は、前記規制部に引っ掛かった状態で前記規制部の前記規制面に平行に配置する抑止面を有する、
ことを特徴とする照明器具。
【請求項２】
前記光源ユニットは、長手方向の端部において、前記ばね片を外部に露出させる露出部を備えており、
前記ばね片は、前記露出部に挿通される冶具により、前記規制部に引っ掛かっている前記抑止片を前記第１位置から前記第２位置に変形させられるように構成されていることを特徴とする請求項１に記載の照明器具。
【発明の詳細な説明】
【技術分野】
【０００１】
本発明は、照明器具に関し、特に、造営材に取り付けられる照明器具に関する。
【背景技術】
【０００２】
従来、照明器具は、壁などの造営材に取り付けられる場合がある。
【０００３】
この種の照明器具としては、器具本体と、複数の発光素子が搭載された基板と、本体カバーと、端部カバーと、を備えた構造が知られている（たとえば、特許文献１）。
【０００４】
器具本体は、長尺状に形成されている。器具本体は、複数の発光素子が搭載された基板が長手方向に沿って配置されている。本体カバーは、透光性を有している。本体カバーは、複数の発光素子を覆うように器具本体に装着されている。端部カバーは、器具本体の長手方向において、器具本体に取り付けられている。器具本体は、器具本体取付け孔を備えている。器具本体は、器具本体取付け孔を使用して、天井などとボルトなどにより取り付けられる。特許文献１の照明器具では、端部カバーが器具本体取付け孔を覆っている。
【先行技術文献】
【特許文献】
【０００５】
【特許文献１】実用新案登録第３１８６４０４号公報
【発明の概要】
【発明が解決しようとする課題】
【０００６】
ところで、照明器具では、施工性の向上を図ることができる構造が求められており、上述の特許文献１の構成だけでは十分でなく、更なる改良が求められている。
【０００７】
本発明の目的は、施工性の向上を図ることができる照明器具を提供することにある。
【課題を解決するための手段】
【０００８】
本発明に係る一態様の照明器具は、光源ユニットと、器具本体と、を備えている。上記光源ユニットは、長尺の外形形状をしている。上記器具本体は、上記光源ユニットを支持する。上記光源ユニットは、取付具を有している。上記器具本体は、取付基台と、固定部と、を有している。上記取付基台は、長尺の外形形状をしている。上記固定部は、上記取付具を固定する。上記取付具は、突起部が設けられている。上記突起部は、上記光源ユニットの短手方向に突出する。上記固定部は、側立部を有している。上記側立部は、上記取付基台の短手方向の両側から上記取付基台の厚み方向に突出する。上記側立部は、開口部と、溝部と、を有している。上記開口部は、上記溝部と繋がっている。上記開口部は、上記突起部が挿通可能な大きさに形成されている。上記溝部は、上記器具本体の長手方向に沿った上記突起部の移動を案内可能に形成されている。上記側立部は、上記溝部に挿通されている上記突起部を保持する。上記固定部は、上記器具本体の長手方向に沿った上記光源ユニットの移動を規制する規制部を有する。上記取付具は、上記規制部に引っ掛かる第１位置と上記規制部に引っ掛からない第２位置との間で弾性変形可能な弾性部を有する。上記規制部は、上記器具本体から上記光源ユニットを取り外す場合、上記弾性部の変形により上記弾性部との引っ掛かりが解除される。上記弾性部は、上記規制部に引っ掛かる抑止片と、上記規制部に向かって上記抑止片に弾性力を付与する板状のばね片と、を有する。上記規制部は、上記光源ユニットの移動方向に直交する規制面を有する。上記抑止片は、上記規制部に引っ掛かった状態で上記規制部の上記規制面に平行に配置する抑止面を有する。
【発明の効果】
【０００９】
本発明の照明器具は、施工性の向上を図ることができる。
【図面の簡単な説明】
【００１０】
【図１】図１は、本発明の一実施形態の照明器具を示す正面側の分解斜視図である。
【図２】図２は、同上の照明器具を示す背面側の分解斜視図である。
【図３】図３は、同上の照明器具の要部を示す一部破断した断面図である。
【図４】図４は、同上の照明器具の別の要部を示す一部破断した断面図である。
【図５】図５は、同上の照明器具の施工工程を示し、図５Ａは、取付具と固定部とが離れた状態、図５Ｂは、取付具の突起部が固定部の開口部に挿入された状態、図５Ｃは、取付具の突起部が固定部の溝部に挿入された状態である。
【図６】図６は、同上の照明器具を示す正面側の外観図である。
【図７】図７は、同上の照明器具を示す背面図である。
【図８】図８は、同上の照明器具を示す側面図である。
【図９】図９は、同上の照明器具を示す縦断面図である。
【図１０】図１０は、同上の照明器具の更に別の要部を示す一部破断した正面図である。
【図１１】図１１は、同上の照明器具の更に他の要部を示す背面側の分解斜視図である。
【発明を実施するための形態】
【００１１】
以下では、本実施形態の照明器具３０について、図１ないし図９を参照して説明する。図中においては、同じ部材に対し、同じ符号を付して重複する説明を省略する。各図面が示す部材の大きさや位置関係は、説明を明確にするために誇張していることがある。以下の説明において、本実施形態に含まれる各要素は、複数の要素を一の部材で構成して一の部材で複数の要素を兼用する態様としてもよいし、一の部材の機能を複数の部材で分担して実現してもよい。
【００１２】
本実施形態の照明器具３０は、図１ないし図１１に示すように、光源ユニット１０と、器具本体３１と、を備えている。光源ユニット１０は、長尺の外形形状をしている。器具本体３１は、光源ユニット１０を支持する。光源ユニット１０は、取付具８を有している。器具本体３１は、取付基台３２と、固定部３３と、を有している。取付基台３２は、長尺の外形形状をしている。固定部３３は、取付具８を固定する。取付具８は、突起部８ｅが設けられている。突起部８ｅは、光源ユニット１０の短手方向に突出する。固定部３３は、側立部３３ｃを有している。側立部３３ｃは、取付基台３２の短手方向の両側から取付基台３２の厚み方向に突出する。側立部３３ｃは、開口部３３ｍと、溝部３３ｋと、を有している。開口部３３ｍは、溝部３３ｋと繋がっている。開口部３３ｍは、突起部８ｅが挿通可能な大きさに形成されている。溝部３３ｋは、器具本体３１の長手方向に沿った突起部８ｅの移動を案内可能に形成されている。側立部３３ｃは、溝部３３ｋに挿通されている突起部８ｅを保持する。
【００１３】
本実施形態の照明器具３０は、溝部３３ｋが器具本体３１の長手方向に沿った突起部８ｅの移動を案内可能に形成され、側立部３３ｃが溝部３３ｋに挿通されている突起部８ｅを保持することで、施工性の向上を図ることができる。
【００１４】
以下では、本実施形態の照明器具３０について、より詳細に説明する。
【００１５】
本実施形態の照明器具３０は、図６及び図８に示すように、建物の外壁、若しくは軒下などの造営材５０に取り付けられる。照明器具３０は、たとえば、長手方向を水平方向にして、取り付けられる。照明器具３０は、長手方向を鉛直方向にして、取り付けられてもよい。照明器具３０は、防湿及び防雨性を有する光源ユニット１０を備えている。言い換えれば、本実施形態の照明器具３０は、建物の外壁などに取り付けられるウォールライトを構成している。
【００１６】
最初に、光源ユニット１０の構成について説明する。光源ユニット１０は、図２、図９ないし図１１に示すように、複数の光源モジュール１と、支持部材２と、カバー３と、光拡散部４と、外殻部７と、を備えている。光源ユニット１０は、さらに、図１１に示す電源装置５と、固定具６と、取付具８と、を備えている。
【００１７】
光源モジュール１は、図１０に示すように、複数の発光素子１ａと、実装基板１ｂと、コネクタ１ｃと、を有している。発光素子１ａは、ＬＥＤ(Light Emitting Diode)である。発光素子１ａは、はんだにより、実装基板１ｂに設けられた導体と電気的に接続されている。
【００１８】
ＬＥＤは、たとえば、ＬＥＤチップと、ＬＥＤチップを収納する凹所が設けられたパッケージと、凹所を封止する透光性の封止材と、を有している。ＬＥＤチップは、たとえば、青色光が発光可能な青色ＬＥＤチップである。封止材は、透光性材料により形成されている。封止材の透光性材料としては、たとえば、シリコーン樹脂、若しくはエポキシ樹脂が好ましい。封止材の透光性材料には、蛍光体が混合されている。蛍光体は、たとえば、青色ＬＥＤチップから放射される青色光により励起されて、黄色光を放射する黄色蛍光体である。ＬＥＤは、青色ＬＥＤチップから放射される青色光と、黄色蛍光体から放射される黄色光との混色光を放射することができる。ＬＥＤは、混色光として、たとえば、昼白色の光を放射する。ＬＥＤは、封止材の透光性材料に、蛍光体が混合されていなくともよい。ＬＥＤは、たとえば、ＬＥＤチップとパッケージと封止材とを備えた表面実装型発光ダイオードであってもよいし、ＬＥＤチップ単体だけであってもよい。光源モジュール１は、発光素子１ａにＬＥＤを利用する構成だけに限られない。発光素子１ａは、有機エレクトロルミネッセンス素子であってもよい。
【００１９】
実装基板１ｂは、図９及び図１０に示すように、長尺の矩形平板状の外形形状をしている。実装基板１ｂは、発光素子１ａと電気的に接続される導体を有している。導体は、複数の発光素子１ａを電気的に直列接続する。複数の発光素子１ａは、実装基板１ｂの短手方向における中央部において、実装基板１ｂの長手方向に沿って直線状に配置されている。複数の発光素子１ａそれぞれは、はんだにより、導体と電気的に接続される。実装基板１ｂは、ガラスエポキシ樹脂基板である。実装基板１ｂは、ガラスエポキシ樹脂基板だけに限られず、たとえば、セラミック基板、若しくは金属ベースプリント配線板であってもよい。実装基板１ｂは、長手方向の両端部において、コネクタ１ｃが実装されている。コネクタ１ｃは、実装基板１ｂの短手方向の一方側に配置されている。
【００２０】
コネクタ１ｃは、発光素子１ａに給電できるように、実装基板１ｂの導体と電気的に接続されている。互いに隣接する光源モジュール１は、コネクタ１ｃ同士が電線１ｉで電気的に接続される。複数の実装基板１ｂのうち、光源ユニット１０の長手方向の両端部における実装基板１ｂには、コネクタ１ｃと接続された電源線が、電源装置５と電気的に接続される。光源ユニット１０は、コネクタ１ｃと電源装置５とが電気的に接続されることで、複数の光源モジュール１が電気的に直列に接続される。
【００２１】
支持部材２は、図９ないし図１１に示すように、長尺の外形形状をしている。支持部材２は、主部２ａと、側面部２ｂと、を有している。主部２ａは、長尺の矩形平板状の外形形状をしている。主部２ａは、長手方向の両端に短手方向に沿った矩形状の挿通溝２ｄが設けられている。側面部２ｂは、主部２ａの長手方向に沿って、主部２ａの短手方向における両端から主部２ａの厚み方向に突出する。一対の側面部２ｂそれぞれは、長尺の矩形平板状の外形形状をしている。一対の側面部２ｂは、主部２ａから離れるにつれ、互いの距離が広がっている。一対の側面部２ｂそれぞれは、長手方向の両端部において、厚み方向に貫通する第１ねじ孔２ｂａを有している。
【００２２】
支持部材２は、主部２ａと、一対の側面部２ｂと、が一体に形成されている。支持部材２は、たとえば、ステンレス鋼板で形成される。支持部材２の材料は、ステンレス鋼板だけに限られず、アルミニウム、若しくは銅などの金属板であってもよい。支持部材２は、金属板の打ち抜き加工及び曲げ加工により形成される。光源ユニット１０では、金属板で構成された支持部材２に実装基板１ｂが接するように配置されることで、支持部材２を放熱板として利用することができる。支持部材２は、樹脂に比べて熱伝導性の高い金属板により形成されている場合、発光素子１ａで発生した熱を、外部に効率よく放熱させることができる。
【００２３】
支持部材２は、図１０に示すように、複数の保持具２ｃが取り付けられている。複数の保持具２ｃは、複数の実装基板１ｂそれぞれの長手方向の両端部に設けられている。保持具２ｃは、実装基板１ｂの短手方向を挟み持った状態で、主部２ａに固定される。保持具２ｃは、実装基板１ｂが主部２ａに接するように、実装基板１ｂを保持する。複数の光源モジュール１は、保持具２ｃにより、支持部材２の長手方向に沿って、支持部材２の主部２ａに直線状に取り付けられる。保持具２ｃは、たとえば、合成樹脂で形成される。
【００２４】
カバー３は、長尺の外形形状をしている。カバー３は、図９及び図１１に示すように、光出射部３ａと、突板片３ｂと、を有している。光出射部３ａは、半楕円筒状の外形形状をしている。光出射部３ａは、光源モジュール１を支持する支持部材２の主部２ａを覆う。光源モジュール１では、発光素子１ａから放射される光が、カバー３を透過する際に光拡散される。光出射部３ａは、中央部３ａａと、周部３ａｂと、を有している。中央部３ａａは、発光素子１ａと対向して配置される。中央部３ａａは、周部３ａｂと比較して、光透過率が低くなるように形成されている。中央部３ａａは、図９に示すように、たとえば、カバー３の長手方向と直交する断面視において、発光素子１ａと対向する外殻部７の両端と、発光素子１ａとを結ぶ線分がカバー３と交わる領域に配置される。
【００２５】
周部３ａｂは、中央部３ａａを除く光出射部３ａに形成される。中央部３ａａ及び周部３ａｂは、光拡散材が含有された樹脂材料で形成されている。中央部３ａａ及び周部３ａｂは、同じ光拡散材を使用する場合、樹脂材料中の光拡散材の含有濃度が異なる。中央部３ａａは、樹脂材料に含有された光拡散材の含有濃度が周部３ａｂよりも高いことで、周部３ａｂと比較して光透過率が低い。光出射部３ａは、表面が滑らかな曲面を有していてもよいし、表面が凹凸に形成されていてもよい。光出射部３ａは、表面の凹凸により、発光素子１ａからの光の集光又は発散に利用することができる。言い換えれば、光出射部３ａは、レンズ機能を備えていてもよい。光出射部３ａは、図３及び図１１に示すように、長手方向の一端部に、厚み方向に貫通する孔部３ｃｃを有している。
【００２６】
突板片３ｂは、矩形の平板状の外形形状をしている。突板片３ｂは、光出射部３ａの長手方向に沿って、光出射部３ａの短手方向の両端に設けられている。一対の突板片３ｂは、光出射部３ａの短手方向の両端から離れるにつれ、互いに距離がより離れるように突出している。突板片３ｂは、周部３ａｂと同じに光透過率に形成されている。
【００２７】
カバー３は、光出射部３ａと突板片３ｂとが一体的に形成されている。カバー３は、発光素子１ａから放射された光を効率よく透過できる構成が好ましい。カバー３の材料としては、たとえば、ポリカーボネート樹脂、若しくはアクリル樹脂などの透光性樹脂材料が好ましい。カバー３は、たとえば、押出成形により形成される。カバー３では、光出射部３ａが、中央部３ａａと周部３ａｂとの光拡散材の含有濃度が異なる二色成形によって一体に形成されている。カバー３は、発光素子１ａに比較的に光直進性の高いとされるＬＥＤが用いたられた場合でも、周部３ａｂと比較して、中央部３ａａの樹脂材料中の光拡散材の含有濃度が高いので、光が透過する際に拡散されずに直進する光を減少させる。
【００２８】
光拡散部４は、カバー３の長手方向における両端に設けられる。一対の光拡散部４は、光出射部３ａの長手方向の両端において、互いに対向するように配置される。光拡散部４は、図９及び図１１に示すように、拡散板４ａと、支持台４ｂと、引掛部４ｃと、押圧部４ｄと、連結部４ｅと、を有している。光拡散部４は、スペーサ４ｆと、ガイド部４ｇと、押部４ｈと、補強部４ｊと、出張部４ｔと、を有している。一対の光拡散部４のうち、一方の光拡散部４は、さらに、図３に示すように、突出部４ｋを有している。一対の光拡散部４のうち、他方の光拡散部４は、図４及び図１１に示すように、突出部４ｋを有していない。他方の光拡散部４は、突出部４ｋを有していない以外、一方の光拡散部４と同じ形状に形成されている。
【００２９】
拡散板４ａは、矩形平板状に形成されている。拡散板４ａは、光が拡散板４ａを透過する際に光拡散される。拡散板４ａは、短手方向の一方において、長手方向に沿った両端部に支持台４ｂが配置されている。拡散板４ａは、短手方向の一方と反対の他方において、長手方向に沿った両端部に出張部４ｔが配置されている。支持台４ｂは、拡散板４ａの厚み方向に突出している。一対の支持台４ｂそれぞれは、拡散板４ａの短手方向に沿った方向から見て、支持台４ｂがＵ字状の外形形状をしている。支持台４ｂは、拡散板４ａから離れた先端に引掛部４ｃが配置されている。引掛部４ｃは、拡散板４ａの長手方向から見て、Ｌ字状の外形形状をしている。
【００３０】
拡散板４ａは、短手方向の一方において、長手方向の両端部に押圧部４ｄが配置されている。押圧部４ｄは、支持台４ｂと所定の間隔を空けて、Ｕ字状の内部を塞ぐように拡散板４ａから突出している。押圧部４ｄは、矩形板状の外形形状をしている。押圧部４ｄは、厚み方向に撓んで弾性力を付与できる。押圧部４ｄは、厚み方向において、先端が支持台４ｂよりも突出している。
【００３１】
一対の支持台４ｂの間には、支持台４ｂの拡散板４ａから離れた先端同士を連結させる連結部４ｅが配置されている。連結部４ｅは、支持台４ｂの先端部４ｅａから突出する。光拡散部４は、先端部４ｅａと引掛部４ｃとの間で支持部材２の主部２ａを挟み込む。光拡散部４では、先端部４ｅａと引掛部４ｃとの間に主部２ａが挟み込まれた状態で、主部２ａが引掛部４ｃに向かうように、押圧部４ｄが主部２ａに弾性力を付与する。光拡散部４は、連結部４ｅと拡散板４ａとで囲まれる開口４ａａを有している。連結部４ｅは、拡散板４ａから離れた先端に挟持部４ｅｂを有している。隣接する挟持部４ｅｂは、互いに近づく向きに突出する挟持片４ｅｃを有している。一対の挟持片４ｅｃは、開口４ａａに挿通された電源線を、一対の挟持片４ｅｃの間隙４ｅｄで挟み持つことができるように形成されている。言い換えれば、光拡散部４は、電源線の張力止を行う張力止部４ｓを有している。
【００３２】
スペーサ４ｆは、拡散板４ａの短手方向の一方において、長手方向の両端に設けられている。スペーサ４ｆは、拡散板４ａの厚み方向において、支持台４ｂと同じ方向に突出している。スペーサ４ｆは、多角柱状の外形形状をしている。一対のスペーサ４ｆは、拡散板４ａの厚み方向から見て、矩形状の拡散板４ａの対角線に沿って、拡散板４ａの端から中心部に向かって延びるように配置されている。
【００３３】
ガイド部４ｇは、拡散板４ａの中央部に設けられている。ガイド部４ｇは、板状の外形形状をしている。ガイド部４ｇは、矩形平板状の拡散板４ａの短手方向に沿って配置されている。ガイド部４ｇは、拡散板４ａの厚み方向に沿って、支持台４ｂと同じ方向に突出している。一対のガイド部４ｇは、所定の間隔を隔てて配置されている。光拡散部４では、一対のガイド部４ｇが互いに平行方向に配置されている。
【００３４】
押部４ｈは、拡散板４ａの中央部よりも、拡散板４ａの短手方向の他方側に配置されている。押部４ｈは、板状の外形形状をしている。押部４ｈは、拡散板４ａの厚み方向に沿って、支持台４ｂと同じ方向に突出している。押部４ｈは、ガイド部４ｇと直交する向きに配置されている。一対のガイド部４ｇと押部４ｈとの間は、光出射部３ａが挿入できるように、光出射部３ａの厚み寸法よりも若干広い。押部４ｈは、拡散板４ａの短手方向の他方側に補強部４ｊが配置されている。補強部４ｊは、拡散板４ａの厚み方向に沿って、支持台４ｂと同じ方向に突出している。補強部４ｊは、拡散板４ａの長手方向から見て、台形の平板の外形形状をしている。補強部４ｊは、押部４ｈがガイド部４ｇから離れる向きに加わる力により変形することを抑制する。
【００３５】
一対の光拡散部４のうち、一方の光拡散部４では、押部４ｈからガイド部４ｇに向かって突出する突出部４ｋが配置されている。突出部４ｋは、円柱状の外形形状している。突出部４ｋは、先端が拡散板４ａから離れるにつれ、押部４ｈからの距離が離れるように傾斜面が形成されている。
【００３６】
光拡散部４の材料としては、たとえば、ポリカーボネート樹脂が好ましい。光拡散部４は、カバー３と同じ材料で形成されてもよいし、異なる材料で形成されてもよい。光拡散部４は、光拡散材を光出射部３ａの周部３ａｂと同じ含有濃度で含有されている。光拡散部４は、光拡散材を光出射部３ａの中央部３ａａと同じ含有濃度で含有されていてもよい。
【００３７】
電源装置５は、図１１に示すように、支持部材２における実装基板１ｂと反対の第２面２ａｂに取り付けられる。電源装置５は、ハウジング５ａを有している。ハウジング５ａは、一面が開放された長尺の矩形箱状の外形形状をしている。ハウジング５ａは、開口が支持部材２で塞がれるように配置される。ハウジング５ａは、たとえば、取付ねじ５ｂにより、支持部材２に取り付けられる。ハウジング５ａは、金属製の板材で形成されている。ハウジング５ａは、金属製の板材の打ち抜き加工及び折り曲げ加工によって形成される。ハウジング５ａは、内部に電源基板を収容する。
【００３８】
電源基板は、実装基板１ｂに所定の点灯電力を供給し、発光素子１ａを点灯させる回路が形成されている。電源基板には、複数種の電装部品が実装される。複数種の電装部品としては、たとえば、トランス、ダイオード、コンデンサ、スイッチング素子及びスイッチング素子をスイッチング制御するドライブＩＣ(Integrated Circuit)などが挙げられる。複数種の電装部品は、適宜に電気的に接続され、発光素子１ａの点灯電力を生成するための電源回路を構成する。電源回路は、たとえば、昇圧チョッパ回路及び降圧チョッパ回路を備えている。電源回路は、商用交流電源などの外部電源からの交流電圧を直流電圧に整流する。電源回路は、整流した直流電圧を昇圧及び降圧し、所定の目標値に一致する電流を出力する。電源装置５は、ハウジング５ａの長手方向の一端側に入力端子及び出力端子が配置されている。電源装置５は、電力線が入力端子に電気的に接続される。電源装置５の出力端子と光源モジュール１とは、電源線によって、電気的に接続される。
【００３９】
一対の固定具６は、図１１に示すように、基底板６ａと、一対の傾斜片６ｂと、立片６ｃと、を有している。基底板６ａは、矩形平板状の外形形状をしている。基底板６ａは、中央部に厚さ方向に貫通する第１挿通孔６ａａが設けられている。基底板６ａは、第１挿通孔６ａａの周りが周囲から窪んだ凹部６ａｂが形成されている。基底板６ａは、短手方向に沿って、第１挿通孔６ａａの両側にそれぞれに、第２ねじ孔６ａｃが設けられている。
【００４０】
一対の固定具６のうち、一方の固定具６には、凹部６ａｂの中央に設けられた第１挿通孔６ａａを通して、電力線が挿通される。傾斜片６ｂは、矩形平板状の外形形状をしている。傾斜片６ｂは、基底板６ａの長手方向の両端から互いに離れるように外方へ突出している。傾斜片６ｂは、円形の第３ねじ孔６ｂａと、長手方向を長軸方向とする長円形の長孔６ｂｂとが、長手方向に沿って並ぶように設けられている。立片６ｃは、台形の平板状の外形形状をしている。立片６ｃは、台形の中央部において、台形の平行な対辺に沿った両端側にそれぞれ第４ねじ孔６ｃａが設けられている。第４ねじ孔６ｃａは、立片６ｃの厚み方向に貫通している。
【００４１】
固定具６は、基底板６ａと傾斜片６ｂと立片６ｃとが一体に構成されている。固定具６は、金属製の板材で形成されている。固定具６は、金属製の板材の打ち抜き加工及び折り曲げ加工によって形成される。
【００４２】
一対の固定具６のうち、一方の固定具６は、支持部材２の第１ねじ孔２ｂａに挿通されるねじ２ｅが、傾斜片６ｂの第３ねじ孔６ｂａにねじ込まれることで支持部材２に取り付けられる。一対の固定具６のうち、他方の固定具６は、支持部材２の第１ねじ孔２ｂａに挿通されるねじ２ｅが、傾斜片６ｂの長孔６ｂｂに挿通されることにより、側面部２ｂの長手方向に沿って移動可能に支持部材２に取り付けられる。
【００４３】
外殻部７は、図２に示すように、長尺の外形形状をしている。外殻部７は、光源モジュール１と支持部材２とカバー３と光拡散部４と電源装置５と固定具６とを、内部に収容している。外殻部７は、外殻本体７ａと、外殻端部７ｂと、パッキン７ｃと、を有する。外殻本体７ａは、角筒状の外形形状をしている。外殻本体７ａは、主壁７ｄと、一対の側壁７ｅと、副壁７ｆと、を有する。主壁７ｄは、矩形平板状の外形形状をしている。一対の側壁７ｅは、主壁７ｄの短手方向の両端に配置されている。一対の側壁７ｅそれぞれは、矩形平板状の外形形状をしている。一対の側壁７ｅは、図９に示すように、主壁７ｄから離れるにつれ互いの間隔が広くなるように形成されている。副壁７ｆは、一対の側壁７ｅと連なり主壁７ｄと対向するように配置されている。副壁７ｆは、長尺に形成されている。
【００４４】
副壁７ｆは、長手方向に沿って、短手方向の中央部が窪んだ凹所７ｆａを有している。凹所７ｆａは、内底部７ｇと、一対の立設片７ｈと、を有している。内底部７ｇは、矩形平板状の外形形状をしている。内底部７ｇは、主壁７ｄと平行となるように配置されている。一対の立設片７ｈそれぞれは、矩形平板状の外形形状をしている。一対の立設片７ｈは、内底部７ｇの長手方向に沿って、内底部７ｇの短手方向の両端に設けられる。一対の立設片７ｈは、内底部７ｇの厚み方向に突出している。立設片７ｈは、内底部７ｇから離れるにつれ、互いの間隔が広くなる。
【００４５】
内底部７ｇは、長手方向の両端部において、固定ねじ７ｇａがねじ止めされる２つのねじ孔が長手方向に沿って所定の間隔を空けて設けられている。内底部７ｇは、一方の端部において、２つのねじ孔の間に挿通孔が設けられている。挿通孔には、図４に示す第１ケーブルグランド７ｇｂが嵌め込まれる。図４では、外殻部７を省略している。光源ユニット１０では、挿通孔に嵌め込まれた第１ケーブルグランド７ｇｂを介して、電源装置５に電力を供給する電力線が挿入される。
【００４６】
外殻本体７ａは、主壁７ｄと側壁７ｅと副壁７ｆとが一体的に形成されている。外殻本体７ａは、たとえば、透光性の樹脂材料により形成される。外殻本体７ａの樹脂材料としては、たとえば、ポリカーボネート樹脂、若しくはアクリル樹脂が好ましい。外殻本体７ａは、たとえば、押出成形で形成される。
【００４７】
外殻端部７ｂは、図２、図８及び図９に示すように、角筒状の外殻本体７ａの両端を塞ぐように設けられる。外殻端部７ｂは、底壁７ｊと、外周壁７ｋと、内周壁７ｍと、を有する。底壁７ｊは、台形の板状の外形形状をしている。底壁７ｊは、台形の底辺の中央部に、矩形状に切り欠くように設けられた露出部７ｐを有している。底壁７ｊには、外表面から内部に向かって凹んだ、円筒形の窪部７ｑが中央部に２つ設けられている。２つの窪部７ｑの底に、円形の孔が形成されている。窪部７ｑには、キャップ７ｓが挿入される。
【００４８】
外周壁７ｋは、底壁７ｊの外周を囲むように、底壁７ｊの厚み方向に突出する。外周壁７ｋは、筒状の外形形状をしている。内周壁７ｍは、底壁７ｊの厚み方向に沿って、外周壁７ｋと同じ向きに突出する。内周壁７ｍは、外周壁７ｋの外周よりも若干小さく形成されている。内周壁７ｍは、筒状の外形形状をしている。言い換えれば、外周壁７ｋ及び内周壁７ｍそれぞれは、所定の隙間を空けて、外殻本体７ａの長手方向に直交する断面の形状に相似した外形形状に形成されている。
【００４９】
外殻端部７ｂは、透光性を有する樹脂材料で形成されている。外殻端部７ｂの樹脂材料としては、たとえば、ポリカーボネート樹脂、若しくはアクリル樹脂が好ましい。外殻端部７ｂは、外殻本体７ａと同じ透光性材料で形成されている。外殻端部７ｂは、外殻本体７ａと同じ材料で形成される場合に限られない。外殻端部７ｂは、外殻本体７ａと異なる材料で形成されてもよい。
【００５０】
パッキン７ｃは、環状の外形形状をしている。パッキン７ｃは、外殻端部７ｂの外周壁７ｋ及び内周壁７ｍに相似した外形形状に形成されている。パッキン７ｃは、外周壁７ｋと内周壁７ｍとの隙間に嵌め込まれる。外殻本体７ａの長手方向の端部は、パッキン７ｃを介して、外周壁７ｋと内周壁７ｍとの隙間に嵌め込まれる。パッキン７ｃは、弾性材料により形成される。パッキン７ｃの弾性材料としては、たとえば、シリコーン樹脂が好ましい。パッキン７ｃは、外殻部７の内部に水分及び塵芥の進入を抑制する。
【００５１】
取付具８は、図３、図４及び図１１に示すように、外殻本体７ａの長手方向の両端に設けられる。図３及び図１１では、図４と同様、外殻部７を省略している。一対の取付具８それぞれは、底壁片８ａと、立壁片８ｂと、一対の側壁片８ｃと、を有する。一対の取付具８のうち、一方の取付具８には、底壁片８ａと立壁片８ｂと一対の側壁片８ｃに加え、弾性部８ｄを有している。一対の取付具８のうち、他方の取付具８は、弾性部８ｄを有していない。他方の取付具８は、弾性部８ｄを有していない以外、一方の取付具８と同じ形状に形成されている。
【００５２】
底壁片８ａは、矩形の平板状に形成されている。底壁片８ａは、第２挿通孔８ａａと、第５ねじ孔８ａｂと、を有している。第２挿通孔８ａａは、底壁片８ａの厚み方向に貫通している。第２挿通孔８ａａは、底壁片８ａの長手方向の中央部に設けられている。第２挿通孔８ａａは、円形の外形形状をしている。第５ねじ孔８ａｂは、底壁片８ａ長手方向に沿って、第２挿通孔８ａａの両側に設けられている。
【００５３】
底壁片８ａは、２つの第５ねじ孔８ａｂの周囲に、円錐台形状の突部８ａｃが設けられている。立壁片８ｂは、矩形平板状の外形形状をしている。立壁片８ｂは、底壁片８ａの短手方向に沿った底壁片８ａの長手方向の一端から底壁片８ａの厚み方向に突出する。立壁片８ｂは、中央部に開口孔８ｂａが設けられている。側壁片８ｃは、矩形平板状の外形形状をしている。側壁片８ｃは、短手方向における底壁片８ａと反対側において、長手方向の中央部に突起部８ｅを有している。突起部８ｅは、側壁片８ｃの長手方向から見て、Ｌ字状の外形形状をしている。一対の側壁片８ｃそれぞれに設けられた突起部８ｅは、互いに離れる向きに突出している。
【００５４】
取付具８は、底壁片８ａと立壁片８ｂと側壁片８ｃとが一体に形成されている。取付具８は、金属板の打ち抜き加工及び折り曲げ加工により形成されている。取付具８の金属板としては、ステンレス鋼板が好ましい。
【００５５】
弾性部８ｄは、図３及び図１１に示すように、取付片８ｈと、ばね片８ｊと、抑止片８ｋと、曲片８ｍと、を有している。取付片８ｈは、矩形平板状の外形形状をしている。取付片８ｈは、厚み方向に貫通する貫通孔８ｈａを有している。取付片８ｈは、長手方向の一端において、短手方向に沿ってばね片８ｊが設けられている。ばね片８ｊは、矩形平板状の外形形状をしている。ばね片８ｊは、取付片８ｈから離れるにつれ、取付片８ｈの厚み方向に沿った高さが高くなるように突出している。ばね片８ｊは、長手方向において、取付片８ｈと反対側に抑止片８ｋが設けられている。
【００５６】
抑止片８ｋは、第１平板８ｋａと、第２平板８ｋｂと、を有している。第１平板８ｋａは、長尺の矩形平板状の外形形状をしている。第１平板８ｋａは、取付片８ｈと平行方向に沿うように、ばね片８ｊから突出する。第１平板８ｋａは、長手方向の中央部に短手方向に沿って、貫設溝８ｋｃが設けられている。第１平板８ｋａは、厚み方向に第２平板８ｋｂが突出している。第１平板８ｋａは、短手方向のばね片８ｊと反対側に、長手方向に沿って第２平板８ｋｂが設けられている。第２平板８ｋｂは、長尺の矩形平板状の外形形状をしている。第２平板８ｋｂは、短手方向の第１平板８ｋａと反対側において、第１平板８ｋａと平行に曲片８ｍが設けられている。
【００５７】
弾性部８ｄは、取付片８ｈとばね片８ｊと抑止片８ｋと曲片８ｍとが一体に形成されている。弾性部８ｄは、金属板の打ち抜き加工及び折り曲げ加工により形成される。弾性部８ｄは、固定ねじ７ｇａより、取付片８ｈが取付具８の底壁片８ａを介して固定具６に固定される。弾性部８ｄは、取付片８ｈが底壁片８ａに固定された状態で、底壁片８ａの長手方向に沿って、底壁片８ａから離れるようにばね片８ｊが突出する。弾性部８ｄは、ばね片８ｊが底壁片８ａから離れる向きに弾性力を付与する。言い換えれば、弾性部８ｄは、板ばねを構成している。
【００５８】
器具本体３１は、図２に示すように、取付基台３２と、固定部３３と、第２ケーブルグランド３４と、取付ねじ３５と、を有している。取付基台３２は、長尺の外形形状をしている。固定部３３は、取付基台３２の長手方向の両端部に設けられる。第２ケーブルグランド３４は、電力線が挿通される。取付ねじ３５は、固定部３３を取付基台３２に固定する。
【００５９】
取付基台３２は、底板３２ａと、一対の側壁部３２ｂと、を有する。底板３２ａは、長尺の矩形平板状の外形形状をしている。底板３２ａは、長手方向の中央部において、厚み方向に貫通する第５挿通孔３２ｃを有している。底板３２ａは、第５挿通孔３２ｃの内縁を覆うように、第２ケーブルグランド３４が設けられる。底板３２ａは、長手方向に沿って、第５挿通孔３２ｃの両側に複数のボルト挿通孔３２ｄを有している。複数のボルト挿通孔３２ｄそれぞれは、底板３２ａの長手方向を長軸方向とする多角形の外形形状をしている。ボルト挿通孔３２ｄは、造営材５０に固定するボルトを挿通させる。底板３２ａは、長手方向の両縁部において、厚み方向に貫通する差込孔３２ｅを有している。差込孔３２ｅは、底板３２ａの短手方向に沿って両側に設けられている。底板３２ａは、固定部３３が固定される一表面と反対の他表面から突出する複数のボス３２ｆを有している。ボス３２ｆは、図８に示すように、造営材５０に当たるように突出している。ボス３２ｆは、底板３２ａの長手方向の両側に設けられている。ボス３２ｆは、底板３２ａの長手方向の両側それぞれにおいて、底板３２ａの短手方向の両側設けられている。
【００６０】
側壁部３２ｂは、底板３２ａの短手方向の両端に、底板３２ａの長手方向に沿って設けられている。側壁部３２ｂは、底板３２ａの長手方向と直交する断面において、Ｃ字状の外形形状をしている。底板３２ａと一対の側壁部３２ｂは、たとえば、ステンレス鋼板などの金属板が曲げ加工されることで一体に形成される。一対の側壁部３２ｂは、底板３２ａの強度を向上できる。
【００６１】
固定部３３は、図２、図７及び図９に示すように、基底部３３ａと、規制部３３ｂと、側立部３３ｃと、突張部３３ｄと、を有している。基底部３３ａは、長尺の矩形板状の外形形状をしている。基底部３３ａは、厚み方向に貫通する貫設孔３３ｇを有している。基底部３３ａは、短手方向の中央部に長手方向に沿って、複数の貫設孔３３ｇが設けられている。
【００６２】
基底部３３ａは、長手方向の一端と反対の他端に、長手方向に沿って突出する差込片３３ｆを有している。差込片３３ｆは、基底部３３ａの短手方向の両端に設けられている。差込片３３ｆは、基底部３３ａの厚み方向において、側立部３３ｃと反対側に段差を構成するように外方へ突出している。言い換えれば、差込片３３ｆは、基底部３３ａの短手方向と直交する断面視において、Ｌ字状の外形形状をしている。規制部３３ｂは、基底部３３ａの長手方向の一端に設けられている。規制部３３ｂは、平板状の外形形状をしている。
【００６３】
側立部３３ｃは、基底部３３ａの短手方向の両端に設けられている。側立部３３ｃは、第１側片３３ｃａと、第２側片３３ｃｂと、を有している。第１側片３３ｃａは、基底部３３ａの短手方向の両端において、基底部３３ａの長手方向に沿って設けられている。一対の第１側片３３ｃａそれぞれは、矩形平板状の外形形状をしている。一対の第１側片３３ｃａそれぞれは、基底部３３ａの厚み方向に突出している。一対の第１側片３３ｃａは、互いに平行に配置されている。一対の第１側片３３ｃａそれぞれは、短手方向の中央部に長手方向に沿った溝部３３ｋが設けられている。溝部３３ｋは、第１側片３３ｃａの厚み方向に貫通している。第１側片３３ｃａは、短手方向における基底部３３ａと反対側に、長手方向に沿って第２側片３３ｃｂが配置されている。
【００６４】
第２側片３３ｃｂは、矩形平板状の外形形状をしている。第２側片３３ｃｂは、基底部３３ａから離れるにつれ、互いに離れる向きに突出している。第２側片３３ｃｂは、長手方向の一端部において、第１側片３３ｃａの溝部３３ｋと連なるように開口する開口部３３ｍを有している。側立部３３ｃは、第１側片３３ｃａと第２側片３３ｃｂとが、基底部３３ａの長手方向と直交する断面視において、Ｖ字状の外形形状をしている。第２側片３３ｃｂは、短手方向における第１側片３３ｃａと反対側に、長手方向に沿って突張部３３ｄが配置されている。
【００６５】
突張部３３ｄは、矩形平板状の外形形状をしている。突張部３３ｄの先端は、基底部３３ａの厚み方向に沿って、規制部３３ｂが突出する方向と反対側に基底部３３ａよりも外方に突出している。第２側片３３ｃｂと突張部３３ｄとは、基底部３３ａの長手方向と直交する断面視において、Ｖ字状の外形形状をしている。
【００６６】
器具本体３１は、ボス３２ｆ及び突張部３３ｄが側壁部３２ｂよりも、造営材５０に向かって突出する。突張部３３ｄは、取付基台３２と別体に構成されている。突張部３３ｄは、取付基台３２から取り外すことができる。
【００６７】
固定部３３は、ステンレス鋼板などの金属板によって形成されている。固定部３３は、図２及び図７に示すように、基底部３３ａの差込片３３ｆが取付基台３２の差込孔３２ｅに挿し込まれた状態で、取付ねじ３５により、基底部３３ａが底板３２ａの長手方向の端部にねじ止めされる。一対の固定部３３それぞれは、基底部３３ａの差込片３３ｆが同じ向きに突出するように、取付基台３２の差込孔３２ｅに挿し込まれる。
【００６８】
以下では、本実施形態の照明器具３０が比較例の照明器具と比較して、施工性の向上を図ることができることについて説明する。比較例の照明器具は、照明器具の長手方向に沿って挿入されたねじにより、光源ユニットと器具本体とがねじ止めされている。比較例の照明器具では、本実施形態に係る器具本体３１の規制部３３ｂの代わりに、ねじ孔を有する固定片を有している。比較例の照明器具は、本実施形態に係る光源ユニット１０の立壁片８ｂにおける開口孔８ｂａの代わりに、ねじ孔が設けられている。比較例の照明器具は、照明器具の長手方向に沿って挿入されたねじにより、光源ユニットと器具本体とがねじ止めされる構造以外は同様の構造としている。
【００６９】
比較例の照明器具は、器具本体だけを造営材に位置決めして固定した後、光源ユニットが、ねじ止めされる。照明器具は、器具本体と光源ユニットとを一体として、造営材にねじ止めされる場合と比較して、器具本体の取り付けを容易に行うことができる。
【００７０】
しかしながら、比較例の照明器具では、器具本体と光源ユニットとがねじで取り付けられる場合、外観の見栄えを良くするために、ねじ止めを隠そうとすると施工性の向上を図ることが難しくなる傾向にある。比較例の照明器具では、器具本体と光源ユニットとを、光源ユニットの長手方向に沿ってねじ止めされているため、設置場所によっては施工が難しくなる場合もある。また、照明器具では、器具本体と光源ユニットとを長手方向に沿ってねじで取り付ける場合、ねじの回転にともなう力のモーメントにより、器具本体と造営材との間に隙間が生じる場合もある。照明器具は、器具本体と造営材との間に隙間が生ずれば、外観上の見栄えが悪くなるだけでなく、所定の光学特性が得られないおそれもある。
【００７１】
本実施形態の照明器具３０では、固定部３３は、第１側片３３ｃａの開口部３３ｍに、取付具８の突起部８ｅが挿入される。取付具８は、光源ユニット１０が器具本体３１に対して相対的に移動させられることで、開口部３３ｍに挿入された突起部８ｅが溝部３３ｋに沿って移動する。取付具８は、突起部８ｅが溝部３３ｋに沿って移動されることで、溝部３３ｋが突起部８ｅを挟み込んだ状態で固定部３３に固定される。
【００７２】
本実施形態の照明器具３０は、器具本体３１だけが造営材５０に固定された後、光源ユニット１０と器具本体３１とがねじを用いることなく取り付けられるので、光源ユニット１０と器具本体３１とをねじ止めする構造と比較して施工性の向上を図ることができる。本実施形態の照明器具３０では、光源ユニット１０と器具本体３１とが、光源ユニットの長手方向に沿ってねじ止めされる構造と比較して、ねじ止めにともなう外観の見栄えが悪くなることが抑制できる。
【００７３】
本実施形態の照明器具３０では、固定部３３は、規制部３３ｂを有している。規制部３３ｂは、器具本体３１の長手方向に沿った光源ユニット１０の移動を規制する。取付具８は、弾性部８ｄを有している。弾性部８ｄは、規制部３３ｂに引っ掛かる第１位置と、規制部３３ｂに引っ掛からない第２位置との間で弾性変形可能に形成されている。規制部３３ｂは、器具本体３１から光源ユニット１０を取り外す場合、弾性部８ｄの変形により弾性部８ｄとの引っ掛かりが解除されることが好ましい。
【００７４】
本実施形態の照明器具３０では、規制部３３ｂは、弾性部８ｄの変形により弾性部８ｄとの引っ掛かりが解除されることで、器具本体３１から光源ユニット１０を、比較的簡単に取り外すことができる。
【００７５】
本実施形態の照明器具３０では、弾性部８ｄは、規制部３３ｂに引っ掛かる抑止片８ｋと、規制部３３ｂに向かって弾性力を付与する板状のばね片８ｊと、を有していることが好ましい。
【００７６】
本実施形態の照明器具３０では、弾性部８ｄは、固定部３３に向かって弾性力を付与する板状のばね片８ｊを有していることで、比較的に簡単な構成で器具本体３１から光源ユニット１０を取り外すことができる。
【００７７】
以下では、光源ユニット１０の組立工程について説明する。
【００７８】
光源ユニット１０の組立工程では、保持具２ｃにより、光源モジュール１が支持部材２の主部２ａに取り付けられる。光源モジュール１は、発光素子１ａが実装基板１ｂに予め実装されている。光源ユニット１０は、実装基板１ｂが取り付けられた主部２ａの第１面２ａａと反対側の第２面２ａｂに、電源装置５が取り付けられる。電源装置５は、取付ねじ５ｂにより支持部材２に固定される。
【００７９】
次に、組立工程では、実装基板１ｂを覆うように、カバー３が支持部材２に取り付けられる。光源ユニット１０は、カバー３の端部と、支持部材２の端部とが、光拡散部４により挟まれることで、カバー３と支持部材２とが固定される。
【００８０】
光拡散部４は、引掛部４ｃが挿通溝２ｄの周部に引き掛けられた状態で、引掛部４ｃを起点に回転され、押部４ｈでカバー３をガイド部４ｇと向かって押えるように挟み持つ。光拡散部４は、支持部材２の主部２ａを先端部４ｅａと引掛部４ｃとの間で挟み込んだ状態で、カバー３の端部をガイド部４ｇと、押部４ｈとの間に挟み込む。光拡散部４は、押部４ｈがカバー３をスペーサ４ｆ及びガイド部４ｇに向かう向きに押して力を加えることで、カバー３が支持部材２に取り付けられる。一対の光拡散部４のうち、一方の光拡散部４では、突出部４ｋが孔部３ｃｃに嵌め込まれる。光拡散部４がカバー３及び支持部材２の長手方向の両端部に取り付けられることで、光源ユニット１０が組み立てられる。
【００８１】
次に、光源ユニット１０では、光源モジュール１とカバー３と電源装置５と固定具６とが取り付けられた支持部材２が、外殻本体７ａの長手方向の一端側から内部に挿入される。光源ユニット１０では、出張部４ｔを有していることで、外殻本体７ａへの支持部材２に挿入にあたって、外殻本体７ａの内部に傷が付くことを抑制できる。組立工程では、取付具８の第５ねじ孔８ａｂと、外殻本体７ａの内底部７ｇに設けられているねじ孔とに固定ねじ７ｇａが挿通され、固定具６の第６ねじ孔６ａｃに固定ねじ７ｇａをねじ込まれる。
【００８２】
光源ユニット１０では、図３、図４及び図１１に示すように、底壁片８ａの突部８ａｃと固定具６の基底板６ａとの間に、弾性を有するワッシャ７ｇｃを収容し、ワッシャ７ｇｃを介して固定ねじ７ｇａが第６ねじ孔６ａｃにねじ込まれる。ワッシャ７ｇｃは、たとえば、ゴムワッシャが用いられる。外殻本体７ａと取付具８とは、一対の固定具６に固定される。
【００８３】
光源ユニット１０は、図２及び図９に示すように、一対の側面部２ｂの間に外殻本体７ａの凹所７ｆａを収めるようにして、外殻本体７ａの副壁７ｆの内底部７ｇを介して取付具８が固定具６に取り付けられる。
【００８４】
続いて、外殻端部７ｂを外殻本体７ａの長手方向の端部にそれぞれ被せる。外殻端部７ｂは、外周壁７ｋと内周壁７ｍとの間に、パッキン７ｃが予め装着されている。組立工程では、外周壁７ｋとパッキン７ｃと内周壁７ｍとで囲まれる隙間に、外殻本体７ａの端部を圧入するようにして、外殻端部７ｂを外殻本体７ａの長手方向の両端に取り付ける。
【００８５】
光源ユニット１０では、窪部７ｑの底の孔にねじ７ｒを挿通し、固定具６の第４ねじ孔６ｃａにねじ込む。一対の外殻端部７ｂは、それぞれ２本のねじ７ｒによって固定具６にねじ止めされる。外殻端部７ｂの窪部７ｑに、ねじ７ｒを隠すようにキャップ７ｓが挿入されることで、光源ユニット１０が組み立てられる。光源ユニット１０は、外殻端部７ｂが外殻本体７ａに取り付けられた状態において、図８に示すように、外殻端部７ｂの露出部７ｐを通して、取付具８における立壁片８ｂの開口孔８ｂａ及びばね片８ｊが露出する。
【００８６】
次に、照明器具３０における施工工程について説明する。
【００８７】
照明器具３０では、たとえば、造営材５０に埋め込まれているボルトに器具本体３１が取り付けられる。器具本体３１は、底板３２ａに設けられているボス３２ｆが造営材５０に当たる。器具本体３１は、底板３２ａに設けられている側壁部３２ｂが造営材５０に当たらない。器具本体３１は、底板３２ａに設けられているボス３２ｆに加え、器具本体３１の突張部３３ｄが造営材５０に当たる。
【００８８】
続いて、造営材５０からの電力線が光源ユニット１０と電気的に接続される。照明器具３０は、電力線と光源ユニット１０とが電気的に接続された後、外殻部７の凹所７ｆａ内に器具本体３１を収めるように、組み立てられた光源ユニット１０を器具本体３１に被せられる。施工工程では、図５Ａに示すように、取付具８の突起部８ｅが固定部３３の開口部３３ｍに挿入されるように、光源ユニット１０が器具本体３１に被せられる。施工工程では、図５Ｂに示すように、光源ユニット１０を器具本体３１に被せ弾性部８ｄの弾性力に抗して、取付具８の突起部８ｅが固定部３３の開口部３３ｍに挿入されるように押し付けられる。
【００８９】
次に、施工工程では、図５Ｃに示すように、光源ユニット１０が器具本体３１に押付けられた状態で、取付具８の突起部８ｅが固定部３３の溝部３３ｋに沿うように移動させられる。照明器具３０では、光源ユニット１０の突起部８ｅが溝部３３ｋに沿って移動させられることで、弾性部８ｄが規制部３３ｂを押し付ける弾性力に抗して、光源ユニット１０が器具本体３１に対して移動する。
【００９０】
光源ユニット１０は、溝部３３ｋに沿って器具本体３１に対し相対的に移動させることで、規制部３３ｂにあたる弾性部８ｄのばね片８ｊが規制部３３ｂを乗り越えるまで変形する。光源ユニット１０は、ばね片８ｊが規制部３３ｂを乗り越えると、ばね片８ｊが元の形状に戻るように弾性力により復帰する。光源ユニット１０は、ばね片８ｊが元の形状に戻るように復帰すると、弾性部８ｄの第２平板８ｋｂが規制部３３ｂに引っ掛かって止まる。光源ユニット１０と器具本体３１とは、取付具８の突起部８ｅが固定部３３の溝部３３ｋの一端にある状態で、第２平板８ｋｂが規制部３３ｂに引っ掛かって止まるので、長手方向の移動が規制される。照明器具３０は、第２平板８ｋｂが規制部３３ｂに引っ掛かって止まった状態で、固定部３３の取付ねじ３５が第１平板８ｋａに当たらないように、貫設溝８ｋｃに収まる。照明器具３０では、光源ユニット１０を器具本体３１に対して器具本体３１の長手方向に移動させ、光源ユニット１０が器具本体３１に取り付けられることで施工が完了する。器具本体３１は、外殻端部７ｂの露出部７ｐから光源ユニット１０の取付具８における弾性部８ｄが見えるように取り付けられる。
【００９１】
次に、本実施形態の照明器具３０において、器具本体３１から光源ユニット１０を取り外す取外工程について簡単に説明する。
【００９２】
本実施形態の照明器具３０では、器具本体３１から光源ユニット１０を取り外す場合、図３に示すように、ドライバなどの長尺の冶具５１を、光源ユニット１０と器具本体３１との間で、光源ユニット１０の長手方向に沿って、開口孔８ｂａに挿入させる。図３では、冶具５１の挿入方向を白抜きの矢印で例示している。図３では、ばね片８ｊは、第１位置にある。照明器具３０では、開口孔８ｂａに挿入された冶具５１が弾性部８ｄに力を加えて押付けることで、抑止片８ｋが規制部３３ｂを乗り越えて移動できるように、ばね片８ｊが変形する。照明器具３０では、ばね片８ｊが変形した状態で、取付具８の突起部８ｅが固定部３３の溝部３３ｋに沿うように移動させられれば、器具本体３１から光源ユニット１０を取り外すことができる。
【００９３】
すなわち、本実施形態の照明器具３０では、光源ユニット１０は、長手方向の端部において、ばね片８ｊを外部に露出させる露出部７ｐを備えている。ばね片８ｊは、露出部７ｐに挿通される長手方向から挿通される冶具５１により、規制部３３ｂに引っ掛かっている抑止片８ｋを第１位置から第２位置に変形させられるように構成されていることが好ましい。
【００９４】
本実施形態の照明器具３０は、冶具５１により、規制部３３ｂに引っ掛かっているばね片８ｊを規制部３３ｂから外れる向きに変形させられることで、比較的簡単に器具本体３１から光源ユニット１０を取り外し、施工性の向上を図ることができる。
【００９５】
照明器具３０は、防湿及び防雨性を有する構造だけに限られない。照明器具３０は、器具本体３１が光源ユニット１０を保持できる限り、適宜に他の構造の照明器具に利用することもできる。
【００９６】
本発明は、上述の実施形態だけに限定されず、本発明に係る技術的思想を逸脱しない範囲で、種々変更することができる。
【符号の説明】
【００９７】
７ｐ  露出部
８  取付具
８ｄ  弾性部
８ｅ  突起部
８ｊ  ばね片
８ｋ  抑止片
１０  光源ユニット
３０  照明器具
３１  器具本体
３２  取付基台
３３  固定部
３３ｂ  規制部
３３ｃ  側立部
３３ｍ  開口部
３３ｋ  溝部
５１  冶具
【図１】
0006731637.tif 000002
【図２】
0006731637.tif 000003
【図３】
0006731637.tif 000004
【図４】
0006731637.tif 000005
【図５】
0006731637.tif 000006
【図６】
0006731637.tif 000007
【図７】
0006731637.tif 000008
【図８】
0006731637.tif 000009
【図９】
0006731637.tif 000010
【図１０】
0006731637.tif 000011
【図１１】
0006731637.tif 000012